(57)【特許請求の範囲】
【請求項１】
測定対象からの光を収束させる光学部材と、
前記光学部材を通過した光を二分割する光分割部と、
前記二分割された一方の光の光路に位置する、前記光学部材の後側焦点を第１の後側焦点とし、前記第１の後側焦点の位置に配置され、前記二分割された一方の光を受光する第１の受光部と、
前記二分割された他方の光の光路に位置する、前記光学部材の後側焦点を第２の後側焦点とし、前記第２の後側焦点の位置に配置された開口絞りと、
前記測定対象からの光が結像する位置に配置され、前記二分割された他方の光の中で前記開口絞りを通過した光を受光する第２の受光部と、を備え、
前記第１の受光部及び前記第２の受光部は、
透過する波長成分がそれぞれ異なる複数の光学フィルタと、
前記複数の光学フィルタのそれぞれに対応して設けられ、対応する光学フィルタを透過した光を受光する複数の受光素子と、を含む測定用光学系。
【請求項２】
請求項１に記載の測定用光学系を備える測色装置。
【請求項３】
前記第１の受光部から出力された信号を用いて、前記測定対象の所定の色情報を算出する第１の算出部と、
前記第２の受光部から出力された信号を用いて、前記測定対象の前記所定の色情報を算出する第２の算出部と、
前記第１の算出部によって算出された結果を第１の測定結果とし、前記第２の算出部によって算出された結果を第２の測定結果とし、前記第１の測定結果と前記第２の測定結果との平均を算出する第３の算出部と、
前記第３の算出部によって算出された結果を第３の測定結果とし、前記第１の測定結果、前記第２の測定結果、及び、前記第３の測定結果のいずれか一つを予め選択する操作がされる操作部と、
前記操作部で選択された測定結果を出力する出力部と、を備える請求項２に記載の測色装置。
【請求項４】
前記操作部は、前記第１の測定結果、前記第２の測定結果、前記第３の測定結果、及び、前記第１の測定結果と前記第２の測定結果との両方の測定結果のいずれか一つを予め選択する操作がされる請求項３に記載の測色装置。
【請求項５】
前記操作部は、前記第１の測定結果、前記第２の測定結果、前記第３の測定結果、前記第１の測定結果と前記第２の測定結果との両方の測定結果、並びに、前記第１の測定結果、前記第２の測定結果及び前記第３の測定結果の三つの測定結果のいずれか一つを予め選択する操作がされる請求項３に記載の測色装置。
【発明の詳細な説明】
【技術分野】
【０００１】
本発明は、例えば、ディスプレイの画面を測色する技術に関する。
【背景技術】
【０００２】
測色装置は、光学センサを用いて、測定対象を測色する装置である。測色装置は、様々な産業分野で応用されており、例えば、ディスプレイの画面の色度の測定に利用される。
【０００３】
従来の測色装置として、特許文献１は、物体側テレセントリックを実現する測定用光学系を備える光学測定装置を開示しており、特許文献２は、両側テレセントリックを実現する測定用光学系を備える色彩計を開示している。
【先行技術文献】
【特許文献】
【０００４】
【特許文献１】特開２０００−２２１１０９号公報
【特許文献２】特開２０１０−２２５５号公報
【発明の概要】
【発明が解決しようとする課題】
【０００５】
特許文献１，２の測色装置は、赤フィルタと、赤フィルタを透過した光を受光する受光素子と、緑フィルタと、緑フィルタを透過した光を受光する受光素子と、青フィルタと、青フィルタを透過した光を受光する受光素子と、を備え、ディスプレイの画面上の一部の領域（スポット領域）を測色する。スポット領域からの光は、赤フィルタ、緑フィルタ及び青フィルタに入射して、これらのフィルタのそれぞれに対応する受光素子で受光される。赤フィルタ、緑フィルタ及び青フィルタへの入射光量にばらつきが生じれば（言い換えれば、赤フィルタ、緑フィルタ及び青フィルタへの入射光量が同じでなければ）、測色精度が低下する。
【０００６】
測定対象上のスポット領域からの光は、指向性を有する場合や、ムラを有する場合がある。前者は、スポット領域からの光の出射角度に応じて、光量が異なることである。後者は、スポット領域上の各点からの光の光量が均一でないことである。いずれの場合も、赤フィルタ、緑フィルタ及び青フィルタへの入射光量にばらつきが生じる原因となる。例えば、液晶ディスプレイの画面は、両方の問題を有する。
【０００７】
光ファイバのような導光部材を介して、赤フィルタ、緑フィルタ、青フィルタそれぞれに光が入射されれば、赤フィルタ、緑フィルタ及び青フィルタへの入射光量にばらつきが生じないようにすることができる。
【０００８】
本発明は、測定対象からの光を受光する受光部に含まれる複数の光学フィルタにおいて、光ファイバのような導光部材を用いることなく、これらの光学フィルタへの入射光量にばらつきが生じないようにできる測定用光学系及びこれを備える測色装置を提供することを目的とする。
【課題を解決するための手段】
【０００９】
上記目的を達成する本発明の第１の局面に係る測定用光学系は、測定対象からの光を収束させる光学部材と、前記光学部材を通過した光を二分割する光分割部と、前記二分割された一方の光の光路に位置する、前記光学部材の後側焦点を第１の後側焦点とし、前記第１の後側焦点の位置に配置され、前記二分割された一方の光を受光する第１の受光部と、前記二分割された他方の光の光路に位置する、前記光学部材の後側焦点を第２の後側焦点とし、前記第２の後側焦点の位置に配置された開口絞りと、前記測定対象からの光が結像する位置に配置され、前記二分割された他方の光の中で前記開口絞りを通過した光を受光する第２の受光部と、を備え、前記第１の受光部及び前記第２の受光部は、透過する波長成分がそれぞれ異なる複数の光学フィルタと、前記複数の光学フィルタのそれぞれに対応して設けられ、対応する光学フィルタを透過した光を受光する複数の受光素子と、を含む。
【００１０】
光分割部は、光学部材を通過した測定対象からの光を二分割する。これにより、光学部材の後側焦点は、二つできる。一つは、二分割された一方の光の光路に位置する後側焦点（第１の後側焦点）である。他の一つは、二分割された他方の光の光路に位置する後側焦点（第２の後側焦点）である。
【００１１】
第１の受光部は、第１の後側焦点の位置に配置されている。これにより、測定対象上の各点からの光は、複数の光学フィルタのそれぞれに均一に分布するので、測定対象からの光がムラを有する場合（すなわち、測定対象上の各点からの光が均一でない場合）でも、複数の光学フィルタへの入射光量にばらつきが生じないようにできる。
【００１２】
開口絞りは、第２の後側焦点の位置に配置され、そして、第２の受光部は、測定対象からの光が結像する位置に配置され、二分割された他方の光の中で開口絞りを通過した光を受光する。これにより、物体側テレセントリックを実現する光学系となり、この光学系による像が第２の受光部で結像するので、測定対象からの光が指向性を有する場合でも、複数の光学フィルタへの入射光量にばらつきが生じないようにできる。
【００１３】
以上説明したように、本発明の第１の局面に係る測定用光学系によれば、測定対象からの光を受光する受光部（第１の受光部、第２の受光部）に含まれる複数の光学フィルタにおいて、光ファイバのような導光部材を用いることなく、これらの光学フィルタへの入射光量にばらつきが生じないようにできる。
【００１４】
本発明の第２の局面に係る測色装置は、第１の局面に係る測定用光学系を備える。
【００１５】
上記構成において、前記第１の受光部から出力された信号を用いて、前記測定対象の所定の色情報を算出する第１の算出部と、前記第２の受光部から出力された信号を用いて、前記測定対象の前記所定の色情報を算出する第２の算出部と、前記第１の算出部によって算出された結果を第１の測定結果とし、前記第２の算出部によって算出された結果を第２の測定結果とし、前記第１の測定結果と前記第２の測定結果との平均を算出する第３の算出部と、前記第３の算出部によって算出された結果を第３の測定結果とし、前記第１の測定結果、前記第２の測定結果、及び、前記第３の測定結果のいずれか一つを予め選択する操作がされる操作部と、前記操作部で選択された測定結果を出力する出力部と、を備える。
【００１６】
第１の測定結果は、第１の受光部から出力された信号を基にして算出される。上述したように、測定対象からの光がムラを有する場合でも、第１の受光部に含まれる複数の光学フィルタへの入射光量にばらつきが生じないようにできる。従って、測定対象からの光がムラを有する場合であっても、測色精度が低下することを防止できる。測色装置の操作者は、測定対象からの光について、ムラの影響が比較的大きく、指向性の影響が比較的小さいことが予め分かっているとき、第１の測定結果を選択する。
【００１７】
第２の測定結果は、第２の受光部から出力された信号を基にして算出される。上述したように、測定対象からの光が指向性を有する場合でも、第２の受光部に含まれる複数の光学フィルタへの入射光量にばらつきが生じないようにできる。従って、測定対象からの光が指向性を有する場合であっても、測色精度が低下することを防止できる。測色装置の操作者は、測定対象からの光について、指向性の影響が比較的大きく、ムラの影響が比較的小さいことが予め分かっているとき、第２の測定結果を選択する。
【００１８】
第３の測定結果は、第１の測定結果と第２の測定結果とを平均した測定結果である。平均は、単純平均でもよし、加重平均でもよい。測色装置の操作者は、測定対象からの光について、ムラ及び指向性の影響が共に大きいことが予め分かっているとき、第３の測定結果を選択する。
【００１９】
以上説明したように、この構成によれば、測定対象からの光について、ムラの影響が比較的大きく、指向性の影響が比較的小さい場合、測定対象からの光について、指向性の影響が比較的大きく、ムラの影響が比較的小さい場合、測定対象からの光について、ムラ及び指向性の影響が共に大きい場合、いずれの場合においても、測色精度が低下することを防止できる。
【００２０】
操作部で選択された測定結果を出力する形式として、その測定結果を示す画像を表示部に表示させる形式と、その測定結果を示す画像を用紙に印刷する形式と、がある。
【００２１】
上記構成において、前記操作部は、前記第１の測定結果、前記第２の測定結果、前記第３の測定結果、及び、前記第１の測定結果と前記第２の測定結果との両方の測定結果のいずれか一つを予め選択する操作がされる。
【００２２】
測色装置の操作者が、第１の測定結果と第２の測定結果との両方を知りたいとき、両方の測定結果を選択する。
【００２３】
上記構成において、前記操作部は、前記第１の測定結果、前記第２の測定結果、前記第３の測定結果、前記第１の測定結果と前記第２の測定結果との両方の測定結果、並びに、前記第１の測定結果、前記第２の測定結果及び前記第３の測定結果の三つの測定結果のいずれか一つを予め選択する操作がされる。
【００２４】
測色装置の操作者が、第１の測定結果、第２の測定結果及び第３の測定結果の三つの測定結果（全ての測定結果）を知りたいとき、三つの測定結果を選択する。
【発明の効果】
【００２５】
本発明によれば、測定対象からの光を受光する受光部に含まれる複数の光学フィルタにおいて、光ファイバのような導光部材を用いることなく、これらの光学フィルタへの入射光量にばらつきが生じないようにできる。
【図面の簡単な説明】
【００２６】
【図１】本実施形態に係る測定用光学系の構成を説明する説明図である。
【図２】光の入射側から見た第１の受光部の平面図である。
【図３】スポット領域からの光がムラを有する場合に、第１の受光部及び第２の受光部に入射する光を説明する説明図である。
【図４】スポット領域からの光が指向性を有する場合に、第１の受光部及び第２の受光部に入射する光を説明する説明図である。
【図５】本実施形態に係る測色装置の構成を示すブロック図である。
【図６】本実施形態に係る測色装置において、第１の測定結果を出力する動作を説明するフローチャートである。
【図７】本実施形態に係る測色装置において、第２の測定結果を出力する動作を説明するフローチャートである。
【図８】本実施形態に係る測色装置において、第３の測定結果を出力する動作を説明するフローチャートである。
【発明を実施するための形態】
【００２７】
以下、図面に基づいて本発明の実施形態を詳細に説明する。図１は、本実施形態に係る測定用光学系１の構成を説明する説明図である。測定用光学系１は、測色装置に備えられる。この測色装置の測定対象は、例えば、液晶ディスプレイの画面ＳＣである。測色装置は、画面ＳＣの全体でなく、画面ＳＣの一部の領域（以下、スポット領域ＳＰ）の色情報を測定し、この結果を出力する。色情報とは、スポット領域ＳＰの色に関する表現を数値で示す情報である。例えば、色度が色情報である。測定用光学系１は、第１の光学部材２、光分割部３、第１の受光部４、開口絞り５、第２の光学部材６及び第２の受光部７を備える。
【００２８】
第１の光学部材２は、スポット領域ＳＰからの光を収束させる。言い換えれば、第１の光学部材２は、正の光学的パワーを有する。光学的パワーとは、屈折力（焦点距離の逆数）を意味する。
【００２９】
光分割部３は、第１の光学部材２を通過したスポット領域ＳＰからの光の半分を反射し、残りの半分を透過するハーフミラーである。このように、光分割部３は、第１の光学部材２を通過したスポット領域ＳＰからの光を二分割する。分割比が、１対１として説明するが、これに限定されない。光分割部３は、ハーフミラーに限らず、ビームスプリッターでもよい。
【００３０】
この二分割により、第１の光学部材２の後側焦点は、二つできる。一つは、光分割部３で反射された光（二分割された一方の光）の光路に位置する後側焦点（以下、第１の後側焦点ｆｐ１）である。他の一つは、光分割部３を透過した光（二分割された他方の光）の光路に位置する後側焦点（以下、第２の後側焦点ｆｐ２）である。
【００３１】
第１の受光部４は、第１の後側焦点ｆｐ１の位置に配置されている。光分割部３で反射された光は、第１の受光部４に入射して、受光される。
【００３２】
光分割部３を透過した光の光路には、開口絞り５、第２の光学部材６、第２の受光部７が配置されている。開口絞り５は、第２の後側焦点ｆｐ２の位置に配置されている。第１の光学部材２と開口絞り５とにより、物体側テレセントリックが実現される。
【００３３】
測定用光学系１を備える測色装置に要求される国際規格を満たすように、第１の光学部材２の焦点距離を調整してもいい。具体的に説明すると、色彩計の国際規格（ＩＥＣ６１７４７−６）では、液晶ディスプレイの画面ＳＣを評価する場合、画面ＳＣからの光のうち、主光線に対してプラスマイナス２．５度以内の光を用いることが規定されている。この規定を満たすように、主光線に対してプラスマイナス２．５度を超える角度からの光を遮断できるように、第１の光学部材２の焦点距離を調整し、第１の受光部４の径に光束径を一致させてもよい。
【００３４】
また、逆に、光学部材２の任意の焦点距離に対して、上記国際規格を満たすように第１の受光部４の径が予め設定されていてもよい。
【００３５】
なお、透過側については開口絞り５の径を調整することにより、反射側とは独立に光の角度を規制することが出来るため、主光線に対する所望の角度の光束を測定できるように、開口絞り５の径が予め設定されていてもよい。
【００３６】
また、開口絞り５の径が予め設定されておらず、測色装置の操作者が、開口絞り５の径を調整できるようにしてもよい。
【００３７】
第２の光学部材６は、開口絞り５を通過した光を収束させる。第２の光学部材６の前側焦点の位置は、第２の後側焦点ｆｐ２の位置と一致していてもよいし、一致していなくてもよい。これらの位置を一致させれば、両側テレセントリックが実現される。
【００３８】
第２の受光部７は、第２の光学部材６により収束された光が結像する位置（すなわち、スポット領域ＳＰからの光が結像する位置）に配置されている。光分割部３を透過した光の中で開口絞り５を通過した光は、第２の光学部材６で収束されて、第２の受光部７に入射して、受光される。
【００３９】
なお、第１の光学部材２によって、スポット領域ＳＰからの光を、第２の受光部７で結像できれば、第２の光学部材６はなくてもよい。また、第１の受光部４が、光分割部３の透過側に配置され、開口絞り５、第２の光学部材６及び第２の受光部７が光分割部３の反射側に配置されてもよい。
【００４０】
第１の受光部４について、図１及び図２を参照して詳しく説明する。図２は、光の入射側から見た第１の受光部４の平面図である。第１の受光部４に入射するスポット領域ＳＰからの光は、第１の受光部４側から見て円形を有するスポット光Ｌである。第１の受光部４は、三つの光学フィルタ１１ａ，１１ｂ，１１ｃと、三つの受光素子１２ａ，１２ｂ，１２ｃと、を備える。
【００４１】
三つの光学フィルタ１１ａ，１１ｂ，１１ｃは、透過する波長成分がそれぞれ異なり、ＣＩＥ（国際照明委員会）のＸＹＺ表色系の等色関数と等価である分光フィルタである。三つの光学フィルタ１１ａ，１１ｂ，１１ｃを区別しないとき、光学フィルタ１１と記載する。光学フィルタ１１は、ＸＹＺ表色系の等色関数に限らず、所望の分光を行える分光フィルタでもよい。光学フィルタ１１の数は、３つに限定されない。
【００４２】
光分割部３で反射されたスポット領域ＳＰからの光は、図２に示す光学フィルタ１１ａ，１１ｂ，１１ｃのそれぞれの受光面１５に入射する。なお、図１では、作図の都合上、受光面１５が光学フィルタ１１ａ，１１ｂ，１１ｃのそれぞれから離された状態で示されている。
【００４３】
三つの受光素子１２ａ，１２ｂ，１２ｃは、例えば、フォトダイオードやフォトトランジスタであり、受光した光を電気信号に変換する素子である。受光素子１２ａ上には、光学フィルタ１１ａが配置されており、受光素子１２ａは、光学フィルタ１１ａを透過した光を受光する。受光素子１２ｂ上には、光学フィルタ１１ｂが配置されており、受光素子１２ｂは、光学フィルタ１１ｂを透過した光を受光する。受光素子１２ｃ上には、光学フィルタ１１ｃが配置されており、受光素子１２ｃは、光学フィルタ１１ｃを透過した光を受光する。このように、三つの受光素子１２ａ，１２ｂ，１２ｃは、三つの光学フィルタ１１ａ，１１ｂ，１１ｃのそれぞれに対応して設けられ、対応する光学フィルタを透過した光を受光する。三つの受光素子１２ａ，１２ｂ，１２ｃを区別しないとき、受光素子１２と記載する。
【００４４】
第２の受光部７は、第１の受光部４と同じ構成なので、同じ構成要素に同一符号を付することにより説明を省略する。
【００４５】
測定用光学系１によれば、スポット領域ＳＰからの光がムラを有する場合（すなわち、スポット領域ＳＰ上の各点からの光の光量が均一でない場合）でも、第１の受光部４に備えられる光学フィルタ１１ａ，１１ｂ，１１ｃのそれぞれの受光面１５へ入射する光にはムラが生じない。これについて、図１及び図３を参照して説明する。図３は、スポット領域ＳＰからの光がムラを有する場合に、第１の受光部４及び第２の受光部７に入射する光を説明する説明図である。スポット領域ＳＰ上の点Ｐ１からの光Ｌ１は、スポット領域ＳＰ上の点Ｐ２からの光Ｌ２より光量が大きいことを示している。
【００４６】
第１の受光部４に備えられる光学フィルタ１１ａ，１１ｂ，１１ｃのそれぞれの受光面１５は、第１の後側焦点ｆｐ１の位置にあるので、スポット領域ＳＰ上の各点（例えば、点Ｐ１、点Ｐ２）からの光は、それらの受光面１５上に均一に分布する。このため、それらの受光面１５上の各点に入射する光の光量が同じとなり、それらの受光面１５へ入射する光にはムラが生じない。従って、スポット領域ＳＰからの光がムラを有する場合でも、第１の受光部４に備えられる三つの光学フィルタ１１への入射光量にばらつきが生じないようにできる。
【００４７】
第２の受光部７に備えられる光学フィルタ１１ａ，１１ｂ，１１ｃのそれぞれの受光面１５は、スポット領域ＳＰからの光が結像する位置にあるので、スポット領域ＳＰ上の各点と、それらの受光面１５上の各点とが一対一に対応する。このため、スポット領域ＳＰからの光のムラがそのまま、それらの受光面１５に伝わるので、それらの受光面１５上の各点に入射する光の光量にばらつきが生じる。従って、スポット領域ＳＰからの光がムラを有する場合、第２の受光部７に備えられる三つの光学フィルタ１１への入射光量にばらつきが生じる。
【００４８】
以上より、スポット領域ＳＰからの光がムラを有する場合、この影響を、第２の受光部７は受けるが、第１の受光部４は受けない。測定用光学系１を備える測色装置は、第１の受光部４から出力した信号を用いて、スポット領域ＳＰの色情報を算出すれば、高い精度を有する測定結果を得ることができる。
【００４９】
測定用光学系１によれば、スポット領域ＳＰからの光が指向性を有する場合でも、第２の受光部７に備えられる光学フィルタ１１ａ，１１ｂ，１１ｃのそれぞれの受光面１５へ入射する光にはムラが生じない。これについて、図１及び図４を参照して説明する。図４は、スポット領域ＳＰからの光が指向性を有する場合に、第１の受光部４及び第２の受光部７に入射する光を説明する説明図である。
【００５０】
スポット領域ＳＰからの光が指向性を有するとは、スポット領域ＳＰからの光の出射角度に応じて、光量が異なることである。図４では、スポット領域ＳＰ上の点Ｐ１とスポット領域ＳＰ上の点Ｐ２とでは、光量が同じであるが、出射角度θの光量は、他の出射角度の光量よりも大きいことを示している。
【００５１】
開口絞り５は、第２の後側焦点ｆｐ２の位置に配置され、かつ、第２の受光部７は、スポット領域ＳＰからの光が結像する位置に配置され、二分割された他方の光の中で開口絞り５を通過した光を受光する。これにより、物体側テレセントリックを実現する光学系となり、この光学系による像が第２の受光部７に備えられる光学フィルタ１１ａ，１１ｂ，１１ｃのそれぞれの受光面１５上で結像する。このため、それらの受光面１５上の各点に入射する光の光量は同じとなり、それらの受光面１５へ入射する光にはムラが生じない。従って、スポット領域ＳＰからの光が指向性を有する場合でも、第２の受光部７に備えられる三つ光学フィルタ１１への入射光量にばらつきが生じないようにできる。
【００５２】
一方、第１の受光部４に備えられる光学フィルタ１１ａ，１１ｂ，１１ｃのそれぞれの受光面１５には、スポット領域ＳＰからの光の指向性の影響を受け、それらの受光面１５上の各点に入射する光の光量にばらつきが生じる。従って、スポット領域ＳＰからの光が指向性を有する場合、第１の受光部４に備えられる三つの光学フィルタ１１への入射光量にばらつきが生じる。
【００５３】
以上より、スポット領域ＳＰからの光が指向性を有する場合、この影響を、第１の受光部４は受けるが、第２の受光部７は受けない。測定用光学系１を備える測色装置は、第２の受光部７から出力した信号を用いて、スポット領域ＳＰの色情報を算出すれば、高い精度を有する測定結果を得ることができる。
【００５４】
このように、測定用光学系１によれば、スポット領域ＳＰからの光を受光する第１の受光部４及び第２の受光部７のそれぞれに含まれる複数の光学フィルタ１１において、光ファイバのような導光部材を用いることなく、これらの光学フィルタ１１への入射光量にばらつきが生じないようにできる。
【００５５】
また、測定用光学系1で使用される光学フィルタ１１と受光素子１２の数は、それぞれ３つに限定されない。
【００５６】
図５は、本実施形態に係る測色装置２０の構成を示すブロック図である。測色装置２０は、図１に示す測定用光学系１を備える。図５では、第１の受光部４及び第２の受光部７以外の測定用光学系１の構成要素を省略している。測色装置２０は、測定用光学系１に加えて、さらに、演算制御部２１及び操作部２２を備える。
【００５７】
演算制御部２１は、測色装置２０の動作を制御すると共に色情報の演算を実行する。演算制御部２１は、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）及びＲＯＭ（Ｒｅａｄ  Ｏｎｌｙ  Ｍｅｍｏｒｙ）等によって実現されるマイクロコンピュータであり、機能ブロックとして、第１の算出部２３、第２の算出部２４及び第３の算出部２５を備える。
【００５８】
第１の算出部２３は、第１の受光部４から出力された信号を用いて、スポット領域ＳＰの色度（所定の色情報の一例）を算出する。第２の算出部２４は、第２の受光部７から出力された信号を用いて、スポット領域ＳＰの色度を算出する。第３の算出部２５は、第１の算出部２３によって算出された色度を第１の測定結果とし、第２の算出部２４によって算出された色度を第２の測定結果とし、第１の測定結果と第２の測定結果との平均を算出する。算出された平均が第３の測定結果である。
【００５９】
操作部２２は、測色装置２０を操作するための装置であり、例えば、タッチパネルやキーボード等により実現される。測色装置２０の操作として、操作者が測色装置２０を用いて測色をする前に、第１の測定結果、第２の測定結果、及び、第３の測定結果のいずれか一つを、予め選択する操作がある。
【００６０】
操作部２２は、表示部２６を含む。表示部２６は、操作部２２で選択された測定結果を表示する装置であり、例えば、ＬＣＤ（液晶ディスプレイ）や有機ＥＬディスプレイ等の表示装置により実現される。表示部２６は、操作部２２で選択された測定結果を出力する出力部の一例である。操作部２２で選択された測定結果を用紙に印刷する印刷部を出力部にすることもできる。
【００６１】
本実施形態に係る測色装置２０において、第１の測定結果を出力する動作を、図１、図５及び図６を用いて説明する。図６は、その動作を説明するフローチャートである。色情報は、色度とする。第１の測定結果の出力は、第１の測定結果の表示とする。測色装置２０の操作者は、操作部２２を操作して第１の測定結果の出力を選択する（ステップＳ１）。
【００６２】
操作者が、操作部２２を操作して測定開始を指示する。これにより、第１の算出部２３は、第１の受光部４から出力された信号を用いて、スポット領域ＳＰからの光の色度を演算する（ステップＳ２）。
【００６３】
演算制御部２１は、ステップＳ２で演算された色度を、第１の測定結果として表示部２６に表示させる。
【００６４】
第１の測定結果は、第１の受光部４から出力された信号を基にして算出される（ステップＳ２）。図３を参照して説明したように、スポット領域ＳＰからの光がムラを有する場合でも、第１の受光部４に含まれる三つの光学フィルタ１１への入射光量にばらつきが生じないようにできる。従って、スポット領域ＳＰからの光がムラを有する場合であっても、色度の測定精度が低下することを防止できる。測色装置２０の操作者は、スポット領域ＳＰからの光について、ムラの影響が比較的大きく、指向性の影響が比較的小さいことが予め分かっているとき、第１の測定結果を選択する。
【００６５】
本実施形態に係る測色装置２０において、第２の測定結果を出力する動作を、図１、図５及び図７を用いて説明する。図７は、その動作を説明するフローチャートである。色情報は、色度とする。第２の測定結果の出力は、第２の測定結果の表示とする。測色装置２０の操作者は、操作部２２を操作して第２の測定結果の出力を選択する（ステップＳ１１）。
【００６６】
操作者が、操作部２２を操作して測定開始を指示する。これにより、第２の算出部２４は、第２の受光部７から出力された信号を用いて、スポット領域ＳＰからの光の色度を演算する（ステップＳ１２）。
【００６７】
演算制御部２１は、ステップＳ１２で演算された色度を、第２の測定結果として表示部２６に表示させる（ステップＳ１３）。
【００６８】
第２の測定結果は、第２の受光部７から出力された信号を基にして算出される（ステップＳ１２）。図４を参照して説明したように、スポット領域ＳＰからの光が指向性を有する場合でも、第２の受光部７に含まれる三つの光学フィルタ１１への入射光量にばらつきが生じないようにできる。従って、スポット領域ＳＰからの光が指向性を有する場合であっても、色度の測定精度が低下することを防止できる。測色装置２０の操作者は、スポット領域ＳＰからの光について、指向性の影響が比較的大きく、ムラの影響が比較的小さいことが予め分かっているとき、第２の測定結果を選択する。
【００６９】
本実施形態に係る測色装置２０において、第３の測定結果を出力する動作を、図１、図５及び図８を用いて説明する。図８は、その動作を説明するフローチャートである。色情報は、色度とする。第３の測定結果の出力は、第３の測定結果の表示とする。測色装置２０の操作者は、操作部２２を操作して第３の測定結果の出力を選択する（ステップＳ２１）。
【００７０】
操作者は、操作部２２を操作して、第１の測定結果に対する重み及び第２の測定結果に対する重みを入力する（ステップＳ２２）。これらの重みが同じであれば、第３の測定結果は、第１の測定結果と第２の測定結果との単純平均となる。これらの重みが異なれば（例えば、２対１）であれば、第３の測定結果は、第１の測定結果と第２の測定結果との加重平均となる。
【００７１】
操作者が、操作部２２を操作して測定開始を指示する。これにより、第１の算出部２３は、第１の受光部４から出力された信号を用いて、スポット領域ＳＰからの光の色度を演算し、第２の算出部２４は、第２の受光部７から出力された信号を用いて、スポット領域ＳＰからの光の色度を演算する（ステップＳ２３）。
【００７２】
第３の算出部２５は、第１の算出部２３によって演算された色度と、第２の算出部２４によって演算された色度との平均値を演算する（ステップＳ２４）。
【００７３】
演算制御部２１は、ステップＳ２４で演算された色度を、第３の測定結果として表示部２６に表示させる（ステップＳ２５）。
【００７４】
第３の測定結果は、第１の測定結果と第２の測定結果とを平均した測定結果である。平均は、単純平均でもよし、加重平均でもよい。測色装置２０の操作者は、スポット領域ＳＰからの光について、ムラ及び指向性の影響が共に大きいことが予め分かっているとき、第３の測定結果を選択する。
【００７５】
以上説明したように、本実施形態によれば、スポット領域ＳＰからの光について、ムラの影響が比較的大きく、指向性の影響が比較的小さい場合、スポット領域ＳＰからの光について、指向性の影響が比較的大きく、ムラの影響が比較的小さい場合、スポット領域ＳＰからの光について、ムラ及び指向性の影響が共に大きい場合、いずれの場合においても、測色精度が低下することを防止できる。
【００７６】
本実施形態の第１変形例を説明する。第１変形例では、第１の測定結果と第２の測定結果との両方の出力についても選択できる。すなわち、図５の操作部２２は、第１の測定結果、第２の測定結果、第３の測定結果、及び、第１の測定結果と第２の測定結果との両方の測定結果のいずれか一つを予め選択する操作がされる。測色装置２０の操作者が、第１の測定結果と第２の測定結果との両方を知りたいとき、両方の測定結果を選択する。
【００７７】
本実施形態の第２変形例を説明する。第２変形例では、第１の測定結果、第２の測定結果及び第３の測定結果の三つの測定結果（全ての測定結果）の出力についても選択できる。すなわち、図５の操作部２２は、第１の測定結果、第２の測定結果、第３の測定結果、第１の測定結果と第２の測定結果との両方の測定結果、並びに、第１の測定結果、第２の測定結果及び第３の測定結果の三つの測定結果のいずれか一つを予め選択する操作がされる。測色装置２０の操作者が、第１の測定結果、第２の測定結果及び第３の測定結果の三つの測定結果を知りたいとき、三つの測定結果を選択する。
【００７８】
本実施形態、第１変形例及び第２変形例では、光源色（液晶ディスプレイの画面ＳＣ）の測定を説明したが、物体色の測定にも適用できる。この場合、測定対象を照明する照明光源が追加される。
【符号の説明】
【００７９】
１  測定用光学系
２  第１の光学部材（光学部材の一例）
３  光分割部
４  第１の受光部
５  開口絞り
６  第２の光学部材
７  第２の受光部
１１，１１ａ，１１ｂ，１１ｃ  光学フィルタ
１２，１２ａ，１２ｂ，１２ｃ  受光素子
１５  光学フィルタの受光面
２０  測色装置
ＳＰ  スポット領域
ＳＣ  液晶ディスプレイの画面（測定対象の一例）
ｆｐ１  第１の後側焦点
ｆｐ２  第２の後側焦点
Ｐ１，Ｐ２  スポット領域上の点
Ｌ１  点Ｐ１から出射した光
Ｌ２  点Ｐ２から出射した光
Ｌ  受光面に入射するスポット光
【図１】
0006662105.tif 000002
【図２】
0006662105.tif 000003
【図３】
0006662105.tif 000004
【図４】
0006662105.tif 000005
【図５】
0006662105.tif 000006
【図６】
0006662105.tif 000007
【図７】
0006662105.tif 000008
【図８】
0006662105.tif 000009